(57)【要約】【課題】  記録領域の処理に応じた適切な管理情報を光ディスクに記録することで動作信頼性を向上させる光ディスク装置及び光ディスク処理方法を提供する。【解決手段】  管理領域（Ｚ７）とガード領域（Ｚ２，Ｚ１１、Ｚ１８，Ｚ２０）とデータ領域（Ｚ１９）とをもつ光ディスクに情報を記録する記録部（２５，２１）と、データ領域が分割されたり縮小された場合は、データ領域にデータが記録されていなくとも、この光ディスクの状態を記録中であるとの管理情報を管理領域に格納し、ガード領域が記録中であってもデータ領域にデータが記録されていなければ、この光ディスクの状態を未記録であるとの管理情報を管理領域に格納する管理部とをもつ光ディスク装置。【選択図】図１
2008192189.tif 000002
【特許請求の範囲】
【請求項１】
管理領域とガード領域とデータ領域とをもつ光ディスクにレーザ光を照射して情報を記録する記録部と、
前記データ領域が分割または縮小された場合は、前記データ領域にデータが記録されていなくとも、この光ディスクの状態を記録中であるとの管理情報を前記管理領域に格納し、前記ガード領域が記録中であっても前記データ領域にデータが記録されていなければ、この光ディスクの状態を未記録であるとの管理情報を前記管理領域に格納することを特徴とする管理部と、を具備することを特徴とする光ディスク装置。
【請求項２】
前記ディスクのレイヤー１に拡張ガードがある場合、ミドルエリアと拡張ガードが干渉した際に拡張ガードのサイズを変更することを特徴とする請求項１記載の光ディスク装置。
【請求項３】
前記管理部は、複数のボーダーに分割されたデータ領域につき、最後のボーダーにデータが含まれていない場合、前記最後のボーダーを除いたボーダーの数を総ボーダ数として上位の機器に報告することを特徴とする請求項１記載の光ディスク装置。
【請求項４】
前記管理部は、前記光ディスクからの前記管理情報に不整合を検出し、継続した更新が困難な場合、前記光ディスクの前記管理情報をリセットすることを特徴とする請求項１記載の光ディスク装置。
【請求項５】
管理領域とガード領域とデータ領域とをもつ光ディスクに対して、
前記データ領域が分割または縮小された場合は、前記データ領域にデータが記録されていなくとも、この光ディスクの状態を記録中であるとの管理情報を前記管理領域に格納し、前記ガード領域が記録中であっても前記データ領域にデータが記録されていなければ、この光ディスクの状態を未記録であるとの管理情報を前記管理領域に格納することを特徴とする光ディスク処理方法。
【請求項６】
前記ディスクのレイヤー１に拡張ガードがある場合、ミドルエリアと拡張ガードが干渉した際に拡張ガードのサイズを変更することを特徴とする請求項５記載の光ディスク処理方法。
【発明の詳細な説明】
【技術分野】
【０００１】
本発明は、光ディスク処理装置及び光ディスク処理方法に関する。
【背景技術】
【０００２】
映像信号等の大量な情報を記録できる記録媒体として、ＤＶＤ（デジタル・バーサタイル・ディスク）が普及している。これにより、２時間程度の映画をＤＶＤに記録し、再生装置により情報を再生することにより家庭で自由に映画を見ることができるようになった。また、記録型のＤＶＤは追記や書き換えが可能であり、複数の番組を一枚のディスクに記録することも可能になっている。また、一般のユーザが映像のオーサリングを行い、オリジナルディスクを作成することなども行われている。
【０００３】
また、市場では多くの会社から記録型の光ディスク装置が販売され、それぞれ独自の機能を盛り込み、販売競争を行っている。
【０００４】
例えば、特許文献１では、図１２、図１３とその説明文にあるように、管理情報としてディスクのフォーマット状態や、分割された記録領域（例えばミドルエリア）の記録状態を示す情報を記録する領域を有する光ディスクと、分割された記録領域の記録状態にあわせて管理情報を更新する光ディスク装置に関する技術が開示されている。ここでは、記録領域を管理情報で管理することにより、光ディスクの記録領域を効率的に利用することを可能としている。
【特許文献１】特開２００５−２５８２１号公報
【発明の開示】
【発明が解決しようとする課題】
【０００５】
しかしながら、特許文献１の従来技術では、分割された記録領域ごとに、フォーマット状態が示されてはいない。このため、実際にはドライブ間でフォーマット状態と分割された記録領域の記録状態の設定に不整合が発生し、他のドライブで一旦、記録を実行した光ディスクを別のドライブに挿入すると異なるディスク状態と認識し、情報の追記が困難であるといった問題がある。
【０００６】
本発明は、記録領域の処理に応じた適切な管理情報を光ディスクに記録することで動作信頼性を向上させる光ディスク装置及び光ディスク処理方法を提供することを目的とする。
【課題を解決するための手段】
【０００７】
課題を解決するための一実施形態は、
管理領域（Ｚ７）とガード領域（Ｚ２，Ｚ１１、Ｚ１８，Ｚ２０）とデータ領域（Ｚ１９）とをもつ光ディスクに情報を記録する記録部（２５，２１）と、
前記データ領域が分割または縮小された場合は、前記データ領域にデータが記録されていなくとも、この光ディスクの状態を記録中であるとの管理情報を前記管理領域に格納し、前記ガード領域が記録中であっても前記データ領域にデータが記録されていなければ、この光ディスクの状態を未記録であるとの管理情報を前記管理領域に格納することを特徴とする管理部（２９）と、を具備することを特徴とする光ディスク装置である。
【発明の効果】
【０００８】
データ領域の分割・縮小・記録処理等がある際は、“記録中”の管理情報を書き、データ領域が何ら処理されない場合は（ガード領域がパディング処理等されても）“未記録”とすることで、複数の光ディスク装置の間で光ディスクを処理しても混乱を招くことがない。
【発明を実施するための最良の形態】
【０００９】
以下、この発明の実施の形態について図面を参照して詳細に説明する。
【００１０】
＜光ディスク記録再生システム＞
図１及び図２に本発明の実施形態の一つである情報記録再生システムのブロック図を示す。
【００１１】
図１に示す情報記録再生システムは、映像やユーザデータ等の情報を記録、再生する媒体である光ディスクＤと、光ディスクＤに情報を記録したり、光ディスクＤから情報を再生する光ディスク装置１２と、光ディスク装置１２に指令を発行し、光ディスク装置１２を介して光ディスクＤから必要な情報を読み出し、映像の再生やユーザへの情報の表示等を行うホスト部１４からなっている。
【００１２】
光ディスクレコーダやプレイヤーといった装置１６は、図１に示すようにその装置１６内に、光ディスク装置１２とホスト部１４を内蔵している。ホスト部１２は図示しないが、ＣＰＵ（Central Processing Unit）や作業領域として用いられるＲＡＭ（Random Access Memory）、設定パラメータやその他電源が落とされても保持しておくべき種々のデータを記憶保持するＥＥＰＲＯＭ（Electrically Erasable and Programmable ROM）やフラッシュメモリなどの不揮発性メモリを備えたものである。これらのメモリにはユーザの要求に対して実行される種々のプログラムや処理に必要なデータやファイル管理に必要なファイルシステム等が記録されている。例えば、ＤＶＤビデオフォーマットのＵＤＦブリッジファイルシステム、ＤＶＤビデオレコーディングフォーマットのＵＤＦファイルシステム、また、次世代ビデオフォーマットのＵＤＦファイルシステム、次世代ビデオレコーディングフォーマットのＵＤＦファイルシステム、アプリケーションソフトなどが搭載されている。
【００１３】
一方、パーソナルコンピュータ等のシステムでは、図２に示すようにパーソナルコンピュータがホスト１４となる。光ディスク装置１２に対する指示の発行は、ＯＳ（オペレーションソフト）やライティングソフト、ビデオ再生ソフトといったアプリケーションソフトを実行することにより行われる。
【００１４】
（光ディスク装置）
図３に本発明の実施形態の一つである光ディスク装置のブロック図を示す。光ディスク装置１２は、光学ヘッド（ピックアップヘッド：ＰＵＨ）アクチュエータ２２から出射されるレーザ光を光ディスクＤの情報記録層に集光することで、情報の記録再生を行っている。光ディスクＤから反射した光は、再び、ＰＵＨアクチュエータ２２の光学系を通過し、フォトディテクター（ＰＤ）２４で電気信号として検出する。検出された電気信号は、プリアンプ２６で増幅され、サーボ回路２８、ＲＦ信号処理回路３０、アドレス信号処理回路３２に出力される。サーボ回路２８では、フォーカス、トラッキング、チルト等のサーボ信号が生成され、各信号がそれぞれ、ＰＵＨアクチュエータ（フォーカス、トラッキング、チルトアクチュエータ）２２に出力される。
【００１５】
ＲＦ信号処理回路３０、アドレス信号処理回路３２における記録されたデータの読み取りや、アドレス信号等のこの際の復調方法としては、スライス方式やＰＲＭＬ（Partial Response Maximum Likelihood）方式がある。光ディスク装置１２は記録再生の対象となる光ディスクＤとＰＵＨアクチュエータ２２によって形成される集光ビームスポットのサイズによって最適な復調方式を選択する。スライス方式には、再生信号に線形な波形等化を行った後に信号を２値化する方法や、再生信号の低域の高振幅成分を一定の値に制限するリミットイコライザと呼ばれる非線形等化器によって等化した後に信号を２値化する方法などがある。
【００１６】
また、ＰＲＭＬ方式に関しても、再生信号の周波数特性に対応して、最適なＰＲクラス例えば、ＰＲ（１２２２１）や、ＰＲ（１２１）、ＰＲ（１２２１）、ＰＲ（３４４３）等が選択される。アドレス信号処理回路３２では、検出された信号を処理することにより、光ディスクＤ上の記録位置を示す物理アドレス情報を読み出し、コントローラ３４に出力する。コントローラ３４はこのアドレス情報を元に、所望の位置のユーザデータ等のデータを読み出したり、所望の位置にデータを記録したりする。この際、データは記録信号処理回路３６で光ディスク記録に適した記録波形制御信号に変調される。この信号を元にＬＤ駆動回路（ＬＤＤ）３８は光学ヘッド２２内のレーザダイオード（ＬＤ）を発光させ、光ディスクＤに情報を記録する。
【００１７】
また、本実施形態ではレーザダイオードの波長は４０５±１５ｎｍである。また、光学ヘッド２２内で上記波長の光を光ディスクＤ上に集光させるために用いられる対物レンズのＮＡ値は０．６５である。また、対物レンズに入射する直前の入射光の強度分布として、中心強度を“１”とした時の対物レンズ周辺（開口部境界位置）での相対的な強度を“ＲＩＭIntensity”と呼ぶ。ＨＤ ＤＶＤフォーマットにおけるＲＩＭ  Intensityの値は５５〜７０％になるように設定してある。この時の光学ヘッド２２内での波面収差量は使用波長λに対して最大０３３λ（０３３λ以下）になるように光学設計されている。
【００１８】
＜光ディスク＞
次に、本発明に係る情報記録装置が扱う光ディスクＤについて、以下に詳細に説明する。図４に本発明の実施形態の一つである２つの情報記録再生層を有する２層光ディスクＤの模式図を示す。本ディスクは図４に示すように２つの情報記録層（以下レイヤーと称する）を有し、それぞれの情報領域のレイアウトは若干異なっている。また、本発明に係るディスクには、記録マークを一箇所に一回だけ可能な追記型と記録マークの上書き、消去が可能な書き換え型の２種類がある。
【００１９】
（光ディスクのフォーマット）
図５は、本発明に係る光ディスクＤのエンボス領域と書換え可能な記録領域の物理仕様を示す。ここでは、基準データ転送速度、光入射側ディスク基板厚さ、トラックピッチ、最短マーク長、回転制御方式、記録符号化方式が、エンボス、書き換え可能領域について、それぞれ説明されている。
【００２０】
ここで、回転制御方式のＣＬＶとはConstant liner velocityの略で、線方向の速度を一定に保った回転制御方法を意味している。また、ＥＴＭ（Eight to Twelve modulation）とは変調方式の一つで、８ビットの情報ビットごとに、冗長性を持たせた１２ビットのチャネルビットに変換して信号を記録する方式である。この冗長性を持たせたことにより、直接情報ビットを光ディスクＤに記録する場合に比べ情報の記録再生の信頼度が飛躍的に向上している。
【００２１】
（情報エリアのレイアウト）
図６の（ａ）に２層ディスクＤの各レイヤーのレイアウトを示す。ここで、レイヤー０及びレイヤー１はほぼ同じ構成で領域が分割されている。ただし、ＢＣＡ（Burst cutting area）領域に関しては、レイヤー０もしくはレイヤー１のいずれかの領域のみに配置される。これは、ＢＣＡ領域からの情報の読み出しを安定化するためである。ＢＣＡ領域の信号の記録に用いられるＢＣＡマークは層間のクロストークが大きいため、ＢＣＡ領域を２つのレイヤーに用いると、相互の信号の干渉が発生し、情報の読みだしが困難になる。
【００２２】
レイヤーの領域の構成は内周側からＢＣＡ領域、エンボス管理領域、内周記録可能管理領域、データ領域、外周記録可能管理領域に区分されている。ここで、レイヤー０のエンボス管理領域と内周記録可能管理領域はリードイン領域、レイヤー０及び１の外周記録可能管理領域はミドル領域、レイヤー１のエンボス管理領域と内周記録可能管理領域はリードアウト領域とも呼ばれる。
【００２３】
ＢＣＡ領域には、基板の溝や、反射膜の剥離、記録媒体の変化によってＢＣＡマークがあらかじめ記録されている。ＢＣＡマークは光ディスクＤの円周方向に変調されており、半径方向には同一の情報が並ぶ櫛型のマークである。ＢＣＡコードは、ＲＺ変調方法により変調されて記録される。パルス幅が狭い（＝反射率の低い）パルスは、この変調されたＢＣＡコードのチャネルクロック幅の半分よりも狭い必要が有る。また、ＢＣＡマークは半径方向に同一の形状を持っているため、トラッキングをかける必要がなく、フォーカスをかけただけで情報の再生が可能となる。
【００２４】
エンボス管理領域にはエンボスピットで情報が記録されている。この情報は、ディスクの識別情報やデータ領域の容量といった、光ディスクＤの管理情報である。また、この領域のエンボスピットの最短マーク長はデータ領域の倍の値になっている。この結果、通常のデータ領域はＰＲＭＬ方式を用いて再生されるが、エンボス管理領域においては、スライス方式を用いても情報の復調が可能となるほか、情報の読み取りの信頼性が高くなるという特徴がある。エンボス管理領域には、ディスクの情報読み出しの基本となる管理情報や、コピー権マネジメントの情報等が記録されるため、エンボス管理領域の読み取り信頼性を高めることは重要である。
【００２５】
次に記録可能管理領域には、データ領域と同じように、案内溝であるグルーブが形成されている。この領域には、データ領域と同じ密度で信号の記録の記録を行う。この領域には、試し書き領域や、データ領域の記録状態を把握するためのマネジメント領域、ＤＰＤトラッキング用のトラッキングオーバーラン領域、層間のクロストーク量を一定に保つためのガード領域等が配置される。
【００２６】
データ領域には、映像データやユーザデータといったデータ等が記録される。
【００２７】
図６の（ｂ）にはレイヤーが１層の場合の光ディスクＤのレイアウトを示す。レイヤーの領域の構成は内周側からＢＣＡ領域、エンボス管理領域、内周記録可能管理領域、データ領域、外周記録可能管理領域に区分されている。レイヤーが１層の場合、エンボス管理領域と内周記録可能管理領域がリードイン領域、外周記録可能管理領域がリードアウト領域と呼ばれる。
【００２８】
（詳細レイアウト）
図７に本発明の実施形態の一つである２層光ディスクＤの記録可能領域の詳細なレイアウトの一例を示す。レイヤー０の内周側記録可能管理領域には、内側から、第１ブランク領域Ｚ１、ガードトラック領域Ｚ２、ドライブテスト領域Ｚ３、ディスクテスト領域Ｚ４、第２ブランク領域Ｚ５、記録マネジメント情報複製領域Ｚ６、記録マネジメント領域Ｚ７、Ｒ物理フォーマット情報領域Ｚ８、リファレンスコード領域Ｚ９が設定されている。
【００２９】
レイヤー１の内周側記録可能管理領域には、内側から第５ブランク領域Ｚ２３、ディスクテスト領域Ｚ２２、ドライブテスト領域Ｚ２１、ガードトラック領域Ｚ２０が配置されている。
【００３０】
ブランク領域は境界を分離することや、記録領域の層間のクロストーク量を一定にする目的で配置されたデータをまったく記録しない領域である。この記録領域の層間のクロストーク量を一定にする領域をクリアランスとも呼ぶ。ガード領域は、ＤＰＤトラッキングのオーバーラン対策や層間クロストーク対策の為に、ダミーデータが記録される領域である。テスト領域は、光ディスクＤに管理情報やユーザ情報を記録する前に、記録波形を最適化するための試し書きをする領域である。マネジメント領域及びマネジメント情報複製領域は、データ領域に記録中のデータの状態を管理するためのマネジメント情報が記録される領域である。
【００３１】
レイヤー０のテスト領域Ｚ１２，Ｚ１３はエンボス管理領域のクロストークを避けるため、エンボス管理領域からクリアランス（第１ブランク領域Ｚ１）の分だけ離れた位置に配置されている。そして、レイヤー０のテスト領域Ｚ３，Ｚ４とマネジメント領域Ｚ６，Ｚ７は狭いブランク領域Ｚ５をはさんで近接して配置されており、これらの領域はレイヤー１のガード領域Ｚ２０と重なるように設けられている。そして、レイヤー１のガード領域Ｚ２０は、レイヤー０のテスト領域Ｚ３，Ｚ４の幅とマネジメント領域Ｚ６、Ｚ７の幅の合計に対して、両側のクリアランスの分だけ広い幅となっている。一方、レイヤー１のテスト領域Ｚ２１，Ｚ２２は、レイヤー０のガード領域Ｚ２と重なるように設けられており、両側のクリアランスの分だけレイヤー０のガード領域Ｚ２より幅が狭くなっている。
【００３２】
ここで、光ディスク装置１２はガード領域Ｚ２に対しては、ユーザデータの記録とは関係なく、均一にダミーデータの記録をしたり、未記録のまま保持したりしておく。このように本発明に係る光ディスク装置では、テスト領域Ｚ２１，Ｚ２２とマネジメント領域Ｚ６，Ｚ７と重なる反対の層の状態が常に、記録状態か、未記録状態の一定の状態とすることで、安定した試し書きや、マネジメント情報の記録が可能になるという特徴がある。
【００３３】
次に、レイヤー０の外周側記録可能管理領域には内側からガード領域Ｚ１１、ドライブテスト領域Ｚ１２、ディスクテスト領域Ｚ１３、ブランク領域Ｚ１４が配置される。同様に、レイヤー１の外周側記録可能管理領域には内側からガード領域Ｚ１８、ドライブテスト領域Ｚ１７、ディスクテスト領域Ｚ１６、ブランク領域Ｚ１５が配置される。
【００３４】
ここでも内周側と同様に、テスト領域Ｚ２１，Ｚ２２と重なる反対側のレイヤーにはガード領域Ｚ２が配置されており、ガード領域Ｚ２の幅はテスト領域の幅の両側にクリアランスの幅を設けた幅よりも広くなっている。
【００３５】
図８に本発明の実施形態の一つである１層光ディスクＤの記録可能領域の詳細なレイアウトの一例を示す。各領域の目的や使用方法は２層光ディスクＤと同様である。
【００３６】
リードイン領域に、第１ガード領域Ｙ１、第１ディスクテスト領域Ｙ２、第１ドライブテスト領域Ｙ３、第２ガード領域Ｙ４、記録マネジメントデータ複製領域Ｙ５、記録マネジメント領域Ｙ６、Ｒ物理フォーマット情報領域Ｙ７、リファレンスコード領域Ｙ８が設けられている。更にデータを記録するデータ領域Ｙ９が設けられている。更に、リードアウト領域として、第３ガード領域Ｙ１０、第２ドライブテスト領域Ｙ１１、第２ディスクテスト領域Ｙ１２、第４ガード領域Ｙ１３が設けられている。
【００３７】
次に、図９にデータ領域Ｚ１０，Ｚ１９の構造について説明を行う。データ領域Ｚ１０，Ｚ１９にはユーザのデータが保存されるが、データの記録状態は図９の（ａ）に示すようにＲゾーン単位で管理される。さらに、図９の（ｂ）再生専用ディスクでの読み取り互換性を高めるため、ＤＰＤトラッキング用のトラッキングオーバーラン領域であるボーダーアウトを形成することができる。引き続きユーザデータを記録するためには、ボーダーアウトとユーザデータの間にボーダーインを形成する。このようなボーダーインとアウトではさまれた領域をボーダーと呼ぶ。ただし、データ領域の最内周に形成される第１ボーダーに関してはリードイン領域がボーダーインの役割を果たすため、ボーダーインが改めて形成されることはない。このように、データ領域は複数のボーダーで管理される場合がある。
【００３８】
さらに、図９の（ｃ）に示すようにファイナライズの際にユーザデータがデータ領域Ｚ１０，Ｚ１９の最後まで達していなかった場合には、その領域にはターミネータＴが形成される。ターミネータＴとは、ファイナライズ処理によりダミーデータが記録されるデータ領域または記録されたデータ領域である。
【００３９】
（記録データの構造）
本発明に係る光ディスクＤに保存、記録されている情報はセクターと呼ばれる単位で扱われる。セクターはユーザデータとヘッダ情報で構成されており３２個もしくは１６個のセクターで１ＥＣＣ（エラーコレクションコード）ブロックが構成されている。ユーザデータの記録は通常この１ＥＣＣブロック単位で行われている。
【００４０】
（エンボス管理領域フォーマット情報の内容）
図１０にレイヤー０に設けられたエンボス領域のフォーマット情報の内容を示す。ブックタイプはディスクのフォーマット及び再生専用、追記型、書き換え型等を示す識別子である。パートバージョンは、そのフォーマットのバージョン管理情報である。ディスクサイズにはそのディスクの直径を示す情報が記録される。例えば１２ｃｍのディスクであれば００００ｂ、８ｃｍのディスクであれば０００１ｂが記録される。最大転送レートには必要であれば、ディスクに記録されたデータを正常に再生するのに必要となる最大の転送レートが記録される。
【００４１】
ディスク構造には、そのフォーマットのレイヤーの数、各レイヤーでトラックが内周側から外周側に向かっているか、内周側に向かっているかの極性を示す情報、そのレイヤーが再生専用であるか、追記型か、書き換え型であるかといった情報が記録される。ここでのレイヤーの数は、ディスクの持つレイヤー数ではなく、フォーマットのレイヤー数である。記録密度には、ディスク接線方向の密度とトラックピッチを表す情報が記録される。データエリア構造にはデフォルトのデータ領域の開始アドレスと終了アドレスが記録される。ＢＣＡ識別子には、ＢＣＡがあるか無いかを示す情報を記録する。記録可能速度識別情報には、そのディスクに対して記録が可能な記録速度を表す情報が記録される。また、拡張パートバージョンにはパートバージョンの拡張情報を記録する。最大再生スピードには、ディスクに記録されたデータを正常に再生するのに必要となる最大の線速度が記録される。レイヤー情報にはレイヤー０及びレイヤー１に配置されたディスクの種類が記録される。
【００４２】
マーク極性情報には記録マークの反射率が未記録部に対して、高いか低いかを示す情報が記録されている。ここが００００００００ｂであれば、記録マークの反射率は未記録部より高く、ここが１０００００００ｂであれば、記録マークの反射率が未記録部よりも低いことを示す。標準速度情報には、標準の記録速度が記録される。たとえば本実施形態の光ディスクＤでは６.６ｍ／ｓとなる。
【００４３】
次に、リム強度情報には、後述の記録波形情報を決定した際のＰＵＨのリム強度の値を記録する。再生パワー情報には、データ領域を再生する場合に必要な再生パワーの値を指定する。実効記録スピード情報には、そのディスクが対応可能な記録スピードの実際の値がすべて記録されている。データ領域反射率（Ｌ）にはレイヤー０のデータ領域にデータを記録した後の反射率が示されている。
【００４４】
ここで、マーク極性情報が００００００００ｂであれば、マーク部の反射率１０００００００ｂであれば、非マーク（スペース）部の反射率が記録される。次に、プッシュプル信号振幅情報（Ｌ）にはレイヤー０のプッシュプル信号を和信号で正規化した値と、記録再生を行うトラックを示すトラック情報が記録される。トラック情報が０ｂである場合、信号の記録再生はグルーブで実施することになり１ｂである場合には、ランドで実施することになる。また、オントラック信号情報（Ｌ）は、レイヤー０のデータ領域の未記録部の和信号レベルをエンボス管理領域の最大反射レベルで規格化した値が記録される。データ領域反射率情報（Ｌ１）からオントラック信号情報（Ｌ１）までのバイトには、レイヤー１の情報がそれぞれ記録される。
【００４５】
次に、記録波形情報（Ｌ）及び（Ｌ１）にはそれぞれ、ディスク製造メーカが推奨するレイヤー０及びレイヤー１の最適な記録波形情報が記録される。これは、記録波形のピークパワーの値やボトムパワーの値、先頭、中間、最終パルスの開始終了位置などの値である。
【００４６】
図１１にデータエリア構造の詳細な内容を示す。データエリア構造には、データ領域の開始物理セクターの番号（ＰＳＮ）、第１記録可能領域最大物理セクター番号、レイヤー０の記録可能領域の最終物理セクター番号が記録される。ここで、データ領域の開始物理セクターの番号は、レイヤー０のデータ領域の開始物理セクター番号を示している。また、第１記録可能領域最大物理セクター番号はレイヤー１のデータ領域の終了物理セクター番号を示している。また、レイヤー０の記録可能領域の最終物理セクター番号はレイヤー０のデータ領域の最終物理セクター番号を示している。
【００４７】
（記録可能管理領域フォーマット情報の内容）
図１２にＲ物理フォーマット情報領域に記録されるフォーマット情報の内容を示す。この情報は、光ディスク装置がディスクに情報を記録する過程で、記録可能管理領域の一部であるＲ物理フォーマット情報領域に記録する情報である。ここで、データエリア構造情報及びボーダーゾーンの開始物理セクター番号を除く情報は、エンボス領域のフォーマット情報と同様の値が記録される。
【００４８】
図１３にＲ物理フォーマット情報領域に記録されるフォーマット情報におけるデータエリア構造の内容を示す。本データエリア構造にはデータ領域の開始物理セクターの番号（ＰＳＮ）、第１ボーダー終了物理セクター番号（ＰＳＮ）、レイヤー０の記録データ最終物理セクター番号（ＰＳＮ）が記録される。ここで、データ領域の開始物理セクターの番号は、レイヤー０のデータ領域の開始物理セクター番号を示している。また、第１ボーダー終了物理セクター番号は第１ボーダーのユーザデータ領域の最終物理セクター番号を示している。また、レイヤー０の記録データ最終物理セクター番号には、第１ボーダーがレイヤー０からレイヤー１にまたがる場合には、レイヤー０のユーザデータ領域の最終物理セクター番号が記録され、第１ボーダーがレイヤー０で終了する場合には終了した位置の物理セクター番号が記録される。一方、レイヤーが１層しか存在しない場合にはすべて０で埋められる。
【００４９】
図１４にＲ物理フォーマット情報領域に記録されるフォーマット情報におけるボーダーゾーンの開始物理セクター番号の詳細を示す。ここには、第１ボーダーのボーダーアウトの開始物理セクター番号（ＰＳＮ）と次のボーダーのボーダーインの開始物理セクター番号（ＰＳＮ）が記録される。また、次のボーダーが作成禁止である場合には、ボーダーインの開始物理セクター番号はすべて０で埋められる。したがって、ここが０で埋められていた場合には、そのディスクがファイナライズされていると判別することができる。
【００５０】
（マネジメント領域）
図１５に記録マネジメント情報複製領域と記録マネジメント領域の構成を示す。記録マネジメント情報複製領域の最初のブロックにはリードイン記録マネジメント情報（リードインＲＭＤ）が記録される。次に、マネジメント領域の次の７ブロックには記録マネジメント情報（ＲＭＤ）が記録される。記録マネジメント領域には記録マネジメント情報が順次記録される。ここで、リードイン記録マネジメント情報は光ディスク装置１２がマネジメント領域に最初にデータを記録する際に記録する情報である。この中には図１６に示すように、記録を行う光ディスク装置１２の製造会社の識別番号である記録再生装置製造会社識別番号や、その装置のシリアル番号、モデル番号、ファームウエアバージョン番号が記録される。ディスク固有番号にはディスク識別用にディスク毎に固有な番号を光ディスク装置１２が記録する。
【００５１】
記録マネジメント情報複製領域には、マネジメント領域が拡張された場合やファイナライズされた場合、ディスクが光ディスク装置１２から取り出された場合などに、記録マネジメント領域に記録する記録マネジメント情報の複製を記録しておく。また、記録マネジメント領域にはデータ領域の記録状態を表す記録マネジメント情報を１ブロック毎、もしくは数ブロックを１セットにしてデータの内容が変化する毎に逐次記録していく。ここで、追記型ディスクでは情報の上書きができないため、記録マネジメント情報の重要な内容が更新されるたびに、次の未使用ブロックに次々に情報が追記されていく。したがって、もっとも外周にある情報が最新の記録マネジメント情報ということになる。一方、書き換え型のディスクでは追記型と同様記録マネジメント情報の重要な内容が更新されるたびに、次の未使用ブロックに次々に情報を追記していくが、記録マネジメント領域の最後まで、記録が到達した場合には、再び最内周側から記録を再開する。
【００５２】
図１７に記録マネジメント情報の構成を示す。記録マネジメント情報は３２フィールドで構成されており、第１フィールドは予備フィールドとなっている。次のフィールドからは順に番号が振られており、それぞれ異なる情報が記録されている。
【００５３】
図１８に記録マネジメント情報のフィールド０の内容を示す。  
ＲＭＤ記録形式識別子には、ＲＭＤのデータの記録形式を示す情報が記録される。ディスク状態情報には例えば下記のような定義でディスクの状態をしめす。例えばディスクが追記型のディスクである場合、ディスクがブランク状態であれば“００ｈ”を、ボーダーがひとつでファイナライズされた状態であれば“０１ｈ”を、ユーザデータが記録されてファイナライズされていない状態であれば“０２ｈ”、ファイナライズされた状態であれば“０３ｈ”、フォーマットやファイナライズの途中状態であれば“１１ｈ”を記録する。このほか、ディスクが書き換え型ディスクである場合には、ディスク状態情報が“００ｈ”であればディスクはブランク状態、“１２ｈ”もしくは“２２ｈ”であればボーダーがひとつでファイナライズされた状態、“１３ｈ”もしくは“２３ｈ”であればユーザデータが記録されてファイナライズされていない状態、“１１ｈ”もしくは“２１ｈ”であればフォーマットの途中状態であることを示す。
【００５４】
ここで“ｈ”は数字が１６進数で表されていることを示す。
【００５５】
また、記録マネジメント情報（ＲＭＤ）位置情報には、記録マネジメント領域の中での記録マネジメント情報の順序情報や過去に記録マネジメント情報を更新した回数などが記録されている。書き換え型ディスクでは、記録マネジメント領域を繰り返し使用するため、もっとも外周にある情報が最新の記録マネジメント情報とは限らない。従って、この記録マネジメント情報を更新した回数が最大のものを検索することで、最新の記録マネジメント情報を決定することが可能となる。
【００５６】
図１９に記録マネジメント情報内のデータエリア構造の詳細を示す。このバイトには、エンボス管理領域のフォーマット情報のデータエリア構造と同じ値が記録される。
【００５７】
図２０に更新データエリア構造の内容を示す。ここには、フォーマッティングもしくは、ファイナライズ時に変更された後のデータエリア構造の値が記録される。更新識別子は、データエリア構造がどのような状態で変更されたかを示す情報である。例えばミドル領域の拡張の指示に対応して変更された場合には、０１ｈが記録され、ファイナライズ時に変更された場合には０２ｈが記録される。
【００５８】
図２１にパディング状態情報の内容を示す。パディング情報は光ディスクＤの各領域が記録済み、すなわちパディング済みであるか否かを示す情報である。情報の各ビットがそれぞれの領域に割り当てられており、“１ｂ”であればパディング済み、“０ｂ”であればパディングされていないことを示す。また１５１６ビットに関しては、“００ｂ”であれば未記録、“０１ｂ”であれば記録途中、“１０ｂ”であればパディング済みであることを示す。ここで、“ｂ”は数字が２進数で表されていることを示す。また、ターミネータの最終記録ＰＳＮにはターミネータの記録された部分の最後のＰＳＮを保存する。ここで、パディング状態情報１５１６ビットが００ｂであれば、ターミネータの最終記録ＰＳＮは００００００００ｂが保存される。
【００５９】
次に、テスト領域配置情報の内容を説明する。テスト領域は、拡張やシフトで位置が変化する場合があるので、このバイトにその時点での最新のテスト領域（内周テスト領域、外周テスト領域、拡張テスト領域）の開始物理セクターの番号と終了物理セクターの番号もしくは、領域のサイズを記録しておく。
【００６０】
フィールド１には光ディスクＤに記録を行った光ディスク装置１２の情報と使用したテスト領域の情報、ドライブが固有のフォーマットで記録が可能な記録波形情報を記録する。これらの情報は２５６バイトごとに一まとめにされており、それぞれ＃１、＃２と名前がつけられている。図示しないが、＃４まで存在し、残りのバイトは予備となっている。テスト領域使用アドレス情報は内周テスト領域用、外周テスト領域用、拡張テスト領域用とぞれぞれの領域に対して独立に用意されており、さらに、それぞれ各レイヤー毎に用意されている。ここには、自分が使用したテスト領域の最後のアドレス、もしくは使用しなかった場合には、すでに保存されていたアドレス情報を記録する。また、拡張テスト領域が拡張されていない状態では、拡張領域使用アドレスにはすべて０が記録される。
【００６１】
図２２にフィールド３の内容を示す。フィールド３には各ボーダーアウトの開始物理セクター番号（ＰＳＮ）と、記録マネジメント領域が拡張された場合には、記録マネジメント領域が拡張されたかどうか示す情報かもしくは拡張された記録マネジメント領域の開始物理セクター番号（ＰＳＮ）とその大きさ及び、使用中の拡張記録マネジメント領域の番号を記録する。さらに、学習領域が拡張された場合には、拡張された学習領域の開始物理セクター番号（ＰＳＮ）と総物理セクター数、もしくは終了物理セクター番号（ＰＳＮ）を記録する。
【００６２】
図２３にフィールド４５，６，…２１の内容を示す。フィールド４５，６，…２１にはデータ領域に記録するユーザデータ領域の状態を管理する情報を記録する。ユーザデータ領域は、ＲゾーンＲ毎に分割されて管理されており、フィールド４５，６，…２１にはこのＲゾーンＲの開始物理セクター番号（ＰＳＮ）とＲゾーンＲの中で現在記録されている領域の最終物理セクター番号（ＰＳＮ）が記録される。また、記録がＲゾーンＲ内の途中で止まっている状態であるオープンＲゾーンを３つまで作ることが許されており、この途中状態のＲゾーンの番号を記録するバイトも設けられている。
【００６３】
＜光ディスク装置／ホストの持っている機能＞
次に本発明の実施形態の一つである光ディスク装置１２とホスト１４の持っている機能の説明を行う。図２４は、光ディスク装置（ディスクドライブ装置）が持つコマンドの一例（対応可能な指示のリスト）を説明する図である。
【００６４】
光ディスク装置１２は、図２４のリストに示される指示をホスト１４から受け取った場合、あらかじめ定められた形式にしたがって、ホスト１４に返答を返す機能を有している。一般に、この処理は光ディスク装置１２のファームウエアとして実装されている。一方、ホスト１４も、あらかじめ定められたフォーマットにしたがって、光ディスク装置１２に指示を発行し、光ディスク装置１２を操作する機能を有している。
【００６５】
（クローズ指示）
図２５の（ａ）に本発明の実施形態の一つである光ディスク装置１２にＲゾーンのクローズ、ボーダーのクローズ、ファイナライズ等の指示を行う際のデータのビット構成を示す。光ディスク装置１２はこの指示を受け取ることにより、光ディスクＤのＲゾーンをクローズしたり、ボーダーをクローズしたり、光ディスクＤに対してファイナライズを実行したりする。
【００６６】
データは１２バイトで構成されており、バイト位置０が指示の内容を表す動作コードを示している。ここで動作コードはクローズを表すものとなっている。
【００６７】
またバイト位置１の最初のバイトにはその指示に対して即時に返答をすべきか否かを示すイミディエイトビットが割り当てられている。ここで、イミディエイトビットが１ｂの状態でこの指示を受けた場合、光ディスク装置１２は指示を受けた処理が終了していなくても、指示のあとすぐに指示に対する返答を実施する。０ｂの状態であれば処理が完全に終了してから返答を実施する。
【００６８】
図２５の（ｂ）にバイト位置２の３バイトに割り当てられたクローズ動作の詳細を示す識別子の内容を示す。ここで、識別子が“００１ｂ”の場合、光ディスク装置１２はＲゾーンＲをクローズする。“０１０ｂ”の場合、光ディスク装置１２はボーダーをクローズする。“１１０ｂ”の場合、光ディスク装置１２はディスクをファイナライズする。“１１１ｂ”の場合、光ディスク装置１２はディスクのファイナライズを中断する。
【００６９】
もし、光ディスク装置１２がファイナライズ動作をしていない状態で、識別子が“１１１ｂ”の指示、すなわちファイナライズ中断の指示を受信した場合は、光ディスク装置１２はエラーを返答する。
【００７０】
（ディスク状態確認指示）
図２６にディスク状態確認指示のデータのビット構成を示す。図２６の（ａ）はホスト１４から光ディスク装置に指示する際の送信データのビット構成を示している。始めの一バイト目にディスクの状態を確認する指示であることを表す動作コードが割り当てられている。
【００７１】
図２６の（ｂ）は指示に対する光ディスク装置の返答データのビット構成を示している。返答は始めの２バイトがヘッダとなっており、返答全体のバイト長が記述されている。次に３バイト目のバイト位置２には指示のデータタイプ、イレイザブル、最終ボーダー状態、ディスク状態識別子が記述されている。イレイザブルが１ｂである場合はディスクが消去可能なディスクであることをあらわし、０ｂであれば消去できないディスクであることを示す。バイト位置３からは順にディスクのＲゾーン１の番号、ボーダーの数、最終ボーダーのはじめのＲゾーンの番号、最終ボーダーの最後のＲゾーン番号が記述される。また、バイト位置７及び８にはディスクのパディング状態情報が記述される。バイト位置９から１１にはターミネータの最終記録ＰＳＮが記述される。パディング状態情報のビット構成は図２１に示す記録マネジメント情報のパディング状態情報と同じ構成である。
【００７２】
図２６の（ｃ）にディスクの状態と最終ボーダー状態、ディスク状態識別子のビット構成の関係を示す。
【００７３】
光ディスク装置１２は、ホスト１４から図２６の（ａ）の問い合わせがあった場合には、装填中のディスクの状態を確認し、図２６の（ｂ）の形式に従って返答をする。
【００７４】
ここで、光ディスクＤの光ディスク状態情報が記録されていないか、ブランク状態であれば、ディスクにユーザデータが記録されていないことを示すエンプティ状態をホストに報告する。このとき、図２６の（ｃ）に示すように最終ボーダー状態、ディスク状態識別子とも００ｂを設定する。ユーザデータの記録中であり追記可能な場合はディスク状態識別子を０１ｂとする。また、ファイナライズが完了したディスクである場合には最終ボーダー状態を１１ｂ、ディスク状態識別子を１０ｂとする。
【００７５】
（ホストの指示による記録処理・フォーマット処理等）
図２７に本発明の実施形態の一つである光ディスク装置における記録動作等のフローチャートを示す。
【００７６】
記録動作やデータ領域の分割・縮小等のフォーマット処理を開始するには、光ディスク装置１２はホスト１４から記録指示やフォーマット処理の指示を受信する必要がある（ステップＳ１１）。これは、図２４に示したフォーマット（データ領域の分割・縮小を含む）の指示や、ユーザデータの記録指示、記録禁止等のディスク管理情報送信の指示等である。
【００７７】
次に、光ディスク装置１２のコントローラ２９は現在の記録マネジメント情報を確認する（ステップＳ１２）。
【００７８】
次に、コントローラ２９は、確認した記録マネジメント情報の内容と、指示の内容にあわせて、光ディスクの、管理領域やデータ領域の必要な部分に記録を行う。または、フォーマットの指示がデータ領域の分割・縮小であれば、これを行う（ステップＳ１３）。
【００７９】
次に、ステップ１３で記録した内容や、ステップＳ１１のホストからの指示に従って、記録マネジメント情報の更新を行う。行った処理が、データ領域へのデータの記録処理であるか、または、データ領域を分割したり縮小したりする処理の場合（ステップＳ１４）、ＲＭＤに『記録中』を意味する管理情報（“ユーザデータが記録されてファイナライズされていない状態”）を記録する。（ステップＳ１６）。その後、ホストに処理の完了を報告する（ステップＳ１７）。
【００８０】
しかし、行った処理が、データ領域へのデータの記録処理でもなく、または、データ領域を分割したり縮小したりする処理でもなく、今までデータ領域になんら処理されていない場合は、後述するようにガード領域等に記録処理がなされていたとしても、ＲＭＤに『未記録』を意味する管理情報（“ブランク状態”）を記録する。（ステップＳ１５）。その後、ホストに処理の完了を報告する（ステップＳ１７）。
【００８１】
以上の手順で、光ディスク装置の管理情報の更新を伴う処理動作が完了する。ただし、図示しないが、ステップＳ１２、もしくはステップＳ１３でエラーが発生した場合には光ディスク装置はエラーの内容をホストに返答し、処理を終了する。また、ホストの指示でイミディエイトビットが１ｂとなっていた場合にも処理を行う前にホストに返答を行う。
【００８２】
（データ領域の分割数）
次に、本発明に係る光ディスク装置における記録領域の分割数の管理について説明する。図２８は、本発明の実施形態の一つである光ディスク装置における記憶領域の分割数を扱う処理のフローチャートである。
【００８３】
始めのステップＳ２１で光ディスク装置はホストから情報読み出しの指示を受信する。これは、図２４に示したユーザデータの読み出しや、ディスク管理情報の問い合わせ、ディスク状態確認指示等の指示である。
【００８４】
ステップＳ２２では、現在の記録マネジメント情報の確認を行う。次にステップＳ２３では記録マネジメント情報をもとに管理領域、データ領域の実際の記録状態を確認する。
【００８５】
ここで、光ディスク装置１２のコントローラ２９である管理部は、ユーザ情報記憶領域が複数に分割されており、かつ最終ボーダーにユーザデータが含まれているかいないかの判定を行う（ステップＳ２４）。
【００８６】
ここで、図３３の（ｃ）や（ｄ）のように、ユーザ情報が存在しないボーダーが存在する場合、コントローラ２９である管理部は、ホスト１４にボーダー数を回答する際は、ボーダーのうちユーザ情報を含まないものは、分割数としてカウントすることなく、ホスト１４に報告する（ステップＳ２５）。すなわち、図３３の（ｃ）や（ｄ）のような場合、その分割数をＮ個とする。一方、ユーザ情報が存在しないボーダーが存在しない場合、コントローラ２９である管理部は、ホスト１４にボーダー数を回答する際は、全てのボーダー数をカウントして報告する（ステップＳ２６）。
【００８７】
このデータ領域の分割数のカウントの仕方の詳細は、後に、（ボーダーの分割数のカウント方法）において、図面を用いて詳細に説明する。
【００８８】
（レイヤー１の各領域への記録）
本発明に係る光ディスク装置は、ホストからの指示に従って、レイヤー１の特定の領域に記録を行う場合、事前に他の領域を記録する記録順の制限を持っている。これは、レイヤー０の記録状態の違いによって発生する層間クロストークの影響を取り除き、安定した記録を行うためである。図２９に、レイヤー１の領域に記録を実施する前に記録しておかなくてはならない領域を示す。ここで、拡張第２ガード領域、拡張第２ドライブテスト領域、移動第３ガード領域、拡張第３ドライブテスト領域とは後述するミドル領域の拡張によって形成される領域である。また、“Ｖ”が事前に記録しなくてはならない領域をさす。“（Ｖ）”はミドル領域の拡張の広さによって記録しなくてはならない場合と記録しなくて良い場合がある領域を示している。
【００８９】
図２９は例えば、本発明に係る光ディスク装置がレイヤー１の第３テスト領域に記録を行う場合には、必ずその前にレイヤー０の第２ガード領域に記録を行わなければならないことを示している。
【００９０】
（光ディスクの状態の定義の例１）
本発明に係る光ディスク装置は図１８に示したように、記録マネジメント情報のフィールド０にディスクの状態を示すディスク状態情報を記録することが可能である。ここで、ディスク状態情報に示されるディスクの状態は主に次の３種類に分けられる。それは、図１８の説明で述べたように、“ブランク状態”（未記録）、“ファイナライズされた状態” （記録完了）、“ユーザデータが記録されてファイナライズされていない状態” （記録中）の３つである。
【００９１】
ここで、本発明に係る光ディスク装置は必ずしもディスク全体が未記録でなくとも、ディスク状態情報にブランク状態（未記録）を設定する。図３０に光ディスクの各領域のうち記録を行ってもブランク状態と設定をおこなうことが許可される領域を示す。図３０のうち、○で示された領域については、例えば図２７のステップ１３で記録を行ったとしても、ステップＳ１４の記録マネジメント情報更新の際にはディスク状態情報をブランク状態とセットする。ただし、記録マネジメント情報複製領域と記録マネジメント領域に関しては、そこに記録される記録マネジメント情報の内容によって設定される状態が異なる。一方、図３０で○が示されていない領域に関しては、ステップ１３で記録を行った場合、ステップＳ１４の記録マネジメント情報更新時には、ファイナライズされた状態、ユーザデータが記録されてファイナライズされていない状態のいずれかが設定される。また、斜線が示されている領域は常に記録禁止の領域である。
【００９２】
ここで、例えば図２７のフローチャートのステップＳ１１においてホストから記録波形学習の指示があった場合について説明を行う。光ディスク装置はホストから記録波形学習の指示があった場合、光ディスクＤのドライブテスト領域で記録波形を変更したテストデータの試し書きを実施する。
【００９３】
ステップＳ１２で現在光ディスク装置に挿入されているディスクの記録マネジメント情報を確認する。ここで、光ディスク装置は第１ガード領域と第２ガード領域の記録状態をフィールド０のパディング状態情報で確認する。
【００９４】
ここで２つ領域のパディング状態情報が０ｂ、即ち未記録であったとする。ステップ１３では光ディスク装置は光ディスクＤのドライブテスト領域にテストデータの試し書きを行う必要があるが、本発明に係る光ディスク装置は図２９に示す記録順の制限を持っている。従って、例えば第四ドライブテスト領域にテストデータを記録する前に、必ず第１ガード領域の記録を実施する。また、第３ドライブテスト領域にテストデータを記録する前に、必ず第２ガード領域の記録を実施する。続いて光ディスク装置は記録したテストデータの再生結果から最適な記録波形を決定する。このように、ステップ１３が完了すると第１ドライブテスト領域、第２ドライブテスト領域、第３ドライブテスト領域、第四ドライブテスト領域が記録された状態、第１ガード領域、第２ガード領域がパディングされた状態になる。
【００９５】
次にステップＳ１４からステップＳ１５では光ディスク装置はステップ１３の処理に基づいて記録マネジメント情報の更新を行う。ここで、フィールド０のパディング状態情報において、第１ガード領域、第２ガード領域を示すビットは１ｂが設定される。一方、ディスク状態情報は図３０の説明に従う。ここで、図３０に従えば、第１ドライブテスト領域、第２ドライブテスト領域、第３ドライブテスト領域、第四ドライブテスト領域、第１ガード領域、第２ガード領域は記録を行っても、ディスク状態情報をブランク状態と設定することができるので、今回はディスク状態情報をブランク状態として記録マネジメント情報の記録を行う。即ち、今回の条件ではステップＳ１４の判定により、ステップＳ１６に処理が移ることになる。続いてステップ１７で光ディスク装置は処理の完了をホストに報告し、処理を完了する。
【００９６】
この様に、本発明の実施形態では記録波形の学習を行うために、テスト領域やガード領域に記録を行っても光ディスクＤはブランク状態として取り扱われる。従って、この光ディスクを一旦光ディスク装置の外にとりだして、他の光ディスク装置に読み込ませても、光ディスクはユーザからはブランク状態として認識されるというメリットがある。従って、例えば図１に示すような光ディスクレコーダではディスクが挿入されたと同時に、コントローラ２９による自動制御によってユーザの特別の操作がなくとも、ガード領域の記録と記録波形の学習を行う等の処理も可能となる。
【００９７】
このとき、例えばユーザが何も録画をせずに取り出した場合、データ領域は未記録でガード領域とテスト領域だけが記録された状態となるが、本発明に係る光ディスク装置ではディスクはブランク状態として認識されるため、ユーザはその光ディスクを別の光ディスク装置に入力した場合、またブランク状態から別の録画を行うことができるというメリットがある。一方、もしガード領域の記録でディスク状態を記録された状態として設定した場合には、別の光ディスク装置に入力した際に記録中と表示されるため、ユーザの混乱を招く。この場合、混乱を避けるためには光ディスクはユーザの録画要求があるまで記録波形の学習を行えないことになる。この場合、録画の要求から実際の記録まで時間がかかるという問題が発生する。
【００９８】
このほか、例えば、ガード領域の記録はディスクメーカが実施し、ブランク状態として光ディスクＤを出荷することも可能になる。ガード領域の記録には時間がかかるため、予めガード領域を記録してある光ディスクＤであれば、ディスクの挿入から記録までの時間の短縮が可能となる。一方、もしガード領域の記録でディスク状態を記録された状態として設定した場合には、データ領域には情報は記録されていないにもかかわらず、ディスクメーカはブランク状態の光ディスクとしてそのディスクを販売することが出来なくなる。
【００９９】
（光ディスクの状態の定義の例２）
このほかに、本発明に係る光ディスク装置ではデータ領域にユーザデータの記録を実施していなくてもディスク状態情報に“ユーザデータが記録されてファイナライズされていない状態”を設定する場合がある。それは、ミドル領域を拡張した場合（データ領域を縮小した場合）と、データ領域を複数のＲゾーンに分割した場合である。図３１にユーザデータの記録を実施していなくてもディスク状態情報にユーザデータが記録されてファイナライズされていない状態を設定する場合のディスクの状態を示す。
【０１００】
図３１の状態は２層光ディスクＤにおいて、ミドル領域を拡張した状態（データ領域を縮小した場合）を示している。ここで記録が行われているのは、記録マネジメント情報複製領域と記録マネジメント領域の一部だけである。本発明に係る光ディスク装置は、ホストからミドル領域拡張の指示があった場合、記録マネジメント情報のフィールド０の更新データエリア構造のレイヤー０の記録可能最大物理セクター番号（ＰＳＮ）を変更することにより２層光ディスクＤのミドル領域の大きさの変更を行う。ここで、レイヤー０の更新記録可能最大物理セクター番号（ＰＳＮ）は元の位置から、元の位置を含むＲゾーンの先頭物理セクター番号（ＰＳＮ）の範囲で指定可能である。このとき、記録可能最大物理セクター番号（ＰＳＮ）を変更した記録マネジメント情報を２層光ディスクＤに記録する際には、たとえデータ領域にデータが記録していなくてもディスク状態情報を“ユーザデータが記録されてファイナライズされていない状態”（記録中）を設定する。
【０１０１】
また２層光ディスクＤには図に示すように、ミドル領域のサイズによって拡張第２ガード領域（Ｚ１１ａ）、拡張第２ドライブテスト領域（Ｚ１２ａ）、拡張第３ブランク領域（Ｚ１４ａ）、移動第３ガード領域（Ｚ１８ａ）、拡張第３ドライブテスト領域（Ｚ１７ａ）、拡張第四ブランク領域（Ｚ１５ａ）が形成される。ただし、ミドル領域の拡張量が少ない場合には、拡張第２ガード領域（Ｚ１１ａ）、移動第３ガード領域（Ｚ１８ａ）以外の領域は省略される。
【０１０２】
図３２（ａ）の状態は、データ領域が複数のＲゾーンに分割された状態を表している。２層光ディスクＤは記録マネジメントデータのフィールド４から２１にＲゾーンの開始物理セクター番号を記録することで、データ領域を複数のＲゾーンに分割することが可能である。図３２（ａ）の場合、領域（Ｚ１０ａ）が第１のＲゾーン、領域（Ｚ１０ｂ）と（Ｚ１９）が第２のＲゾーンとなる。通常記録はＲゾーンの先頭から連続して実行されるため、このように複数のＲゾーンに分割することでユーザデータの記録に際し、複数の開始位置を取ることができる。ここで、本発明に係る光ディスク装置はホストのＲゾーン予約の指示によって、記録マネジメント情報に複数のＲゾーンの開始物理セクター番号を設定した場合、たとえデータ領域に記録を行っていなくても、ディスク状態情報を“ユーザデータが記録されてファイナライズされていない状態”（記録中）と設定する。
【０１０３】
また２層光ディスクＤではユーザデータを記録せずにレイヤー０のデータ領域をＲゾーンで分割した場合、そこに対応したレイヤー１の領域を拡張ガード領域（Ａ）と設定し、ユーザデータの記録を禁止する。拡張ガード領域（Ａ）は光学的な干渉を避けるため、第１Ｒゾーン（Ｚ１０ａ）よりも外周方向に広く設定される。本発明に係る光ディスク装置は記録マネジメントデータ（ＲＭＤ）のフィールド０の更新データエリア構造の更新記録可能最大物理セクター番号（ＰＳＮ）を変更することで、拡張ガード領域（Ａ）の範囲を変更することが可能である。
【０１０４】
この様に、本発明に係る実施形態ではデータ領域を複数のＲゾーンに分割したり、ミドル領域の拡張を実施した場合には、データ領域が未記録であっても、“ユーザデータが記録されてファイナライズされていない状態”とする。これは、Ｒゾーンに分割したり、ミドル領域の拡張を実施した場合にはデータ領域が未記録であっても記録可能なデータサイズや位置が変化するためである。このように設定することにより、ユーザはデータ領域に記録可能なデータサイズや位置が変化したことを簡単に認識することができる。
【０１０５】
（拡張ガード領域と拡張ミドル領域の関係）
図３２（ｂ）の状態は、図３２（ａ）の状態にさらにミドル領域を拡張した場合を示している。本発明に係る光ディスク装置は上記に示したように、更新データエリア構造の更新記録可能最大物理セクター番号（ＰＳＮ）を変更することで、拡張ガード領域（Ａ）の範囲を設定している。さらに、記録マネジメントデータのフィールド０の更新データエリア構造のレイヤー０の記録可能最大物理セクター番号（ＰＳＮ）を変更することにより、ミドル領域の大きさの変更を行う。ここで、拡張ミドル領域の開始点であるレイヤー０の更新記録可能最大物理セクター番号（ＰＳＮ）は元の位置から、元の位置を含むＲゾーンの先頭物理セクター番号（ＰＳＮ）の範囲で指定可能であるので、今回の場合、領域(１０ｂ)の中であればどこでも設定可能である。ただし、本発明に係る光ディスク装置は図３２（ｂ）に示したように、拡張されたミドル領域の開始点が対応するレイヤー１の拡張ガード領域（Ａ）と干渉するような位置にミドル領域を拡張するようにホストから指示があった場合には、レイヤー０の更新記録可能最大物理セクター番号（ＰＳＮ）を優先して設定し、更新記録可能最大物理セクター番号（ＰＳＮ）を変更する。こうすることで、拡張ガード領域（Ａ）が縮小し、ミドル領域が指示通りの大きさで拡張される。
【０１０６】
このように、本発明に係る光ディスク装置は、拡張ガード領域と拡張ミドル領域が干渉した場合、拡張ミドル領域の設定を優先する。こうすることで、ユーザはＲゾーン（１０ｂ）のサイズをミドル領域の拡張を指示することで自由に設定することができるというメリットがある。
【０１０７】
（ボーダーの分割数のカウント方法）
図３３に光ディスクＤのデータ領域が複数のボーダーに分割されて使用されている例を示す。図９で説明を行ったように光ディスクＤのデータ領域は複数のボーダーに分割して記録が実施される場合がある。
【０１０８】
ここで、図３３（ｂ）、（ｃ）、（ｄ）はいずれも図３３（ａ）の状態から一つだけボーダーを増やした状態を示している。
【０１０９】
図３３（ｂ）に示す状態は、本発明に係る光ディスク装置によって、第（Ｎ）ボーダーの次にユーザデータ２を記録し、さらにボーダークローズすることによって形成できる。この状態では記録マネジメント情報のフィールド３のボーダーアウト開始物理セクターには第１番ボーダーのボーダーアウト開始物理セクターから、第Ｎ＋１番ボーダーのボーダーアウト開始物理セクターまでが記録される。
【０１１０】
図３３（ｃ）に示す状態は本発明に係る光ディスク装置によって、第（Ｎ）ボーダーの次にＲゾーンの分割を実行しユーザデータを記録せずに、ボーダークローズすることによって形成できる。分割されたＲゾーンをクローズする場合、Ｒゾーンの未記録部分はパディングされる。
【０１１１】
図３３（ｄ）に示す状態は、本発明に係る光ディスク装置によって、ボーダーインに管理情報等を記録したあと、ユーザデータを記録せずに、ボーダークローズすることによって形成できる。
【０１１２】
ここで、ユーザデータが記録されていない図３３（ｃ）及び図３３（ｄ）であっても、記録マネジメント情報のフィールド３のボーダーアウト開始物理セクターには、第１番ボーダーのボーダーアウト開始物理セクターから、第Ｎ＋１番ボーダーのボーダーアウト開始物理セクターまでが記録される。
【０１１３】
すなわち、光ディスク装置１２のコントローラ２９である管理部は、複数のボーダーに分割されたデータ領域につき、最後のボーダーにユーザデータが含まれておらず、かつ、ファイナライズする場合（図３３の（ｃ）や（ｄ）のような場合）、その最後のボーダーも含めた分割数（Ｎ＋１）を管理情報として、光ディスクの管理領域に格納するものである。
【０１１４】
ここで、図３３（ｂ）のディスクに対してホストからディスク状態確認の指示があった場合について説明を行う。
【０１１５】
図２８のフローチャートに従うと、本発明に係る光ディスク装置はまずステップＳ２１においてホストからディスク状態確認の指示を受信する。次にステップＳ２２においてディスクＤの記録マネジメント情報の読み出しをおこなう。さらにステップＳ２３において、管理領域やデータ領域の記録状態を調査し、読み出した記録マネジメント情報が正しいか否かの確認を実施する。ステップＳ２６で、確認した結果をもとにディスクの状態をホストへ返答する。ここで、ホストへの返答は図２６に示す形式で行われる。
【０１１６】
このとき、図３３（ｂ）のディスクはボーダーがクローズされているので、最終ボーダー状態はクローズが設定される。また、ボーダーの数は記録マネジメント情報に従って、（Ｎ＋１）個と設定される。さらに、最終ボーダーの第１Ｒゾーン及び最終ボーダーの最終Ｒゾーン番号はともに（Ｍ＋１）が設定される。
【０１１７】
（ホストに対する分割数の応答）
次に、図３３（ｃ）及び（ｄ）のディスクに対してホストからディスク状態確認の指示があった場合について説明を行う。
【０１１８】
図２８のフローチャートに従うと、本発明に係る光ディスク装置１２のコントローラ２９は、まずステップＳ２１においてホストからディスク状態確認の指示を受信する。次にステップＳ２２においてディスクＤの記録マネジメント情報の読み出しをおこなう。さらにステップＳ２３において、管理領域やデータ領域の記録状態を調査し、読み出した記録マネジメント情報が正しいか否かの確認を実施する。
【０１１９】
ここで、光ディスク装置１２のコントローラ２９である管理部は、ユーザ情報記録領域が複数に分割されており、かつ最終ボーダーにユーザデータが含まれているかいないかの判定を行なう（ステップＳ２４）。ここで、対象の光ディスクが図３３（ｃ）及び（ｄ）の状態の場合は、最終ボーダーにユーザデータが含まれていないと判定される（ステップＳ２４）。
【０１２０】
光ディスク装置１２のコントローラ２９である管理部は、ユーザ情報を含まないボーダーについても（図３３の（ｃ）や（ｄ）のような場合）、その最後のボーダーも含めた分割数を（Ｎ＋１）個として、この管理情報を光ディスクの管理領域に記録しているが、一方、光ディスク装置１２のコントローラ２９である管理部は、ディスクの状態をホストへ返答する際は、ユーザ情報を含まないボーダー（図３３の（ｃ）や（ｄ）のような場合）はカウントすることなく、分割数をＮ個として、ホストに返答する（ステップＳ２５）。
【０１２１】
光ディスク装置１２のコントローラ２９である管理部は、ディスクの状態をホストへ返答する際は、図２６に示す形式で行う。このとき、図３３（ｃ）及び（ｄ）のディスクはボーダーがクローズされているので、最終ボーダー状態はクローズが設定される。一方、ボーダー数については、（Ｎ＋１）番目のボーダーにはユーザデータが含まれていないと判定されているため、（Ｎ＋１）番目のボーダーは存在しないものとしてホストに返答を行う。即ち、返答値に設定するボーダー数をＮ個とする。さらに、最終ボーダーの第１Ｒゾーン及び最終ボーダーの最終Ｒゾーン番号はともにＭが設定される。
【０１２２】
このように、本発明に係る光ディスクは、条件によって光ディスクの管理情報に設定した値とは異なる内容をユーザ、もしくはホストに報告する。これにより、ホストは余分なボーダーの読み込み作業を行なわなくてすむため、処理時間の短縮が可能になる。一方、光ディスクＤには正確なボーダー数の情報が保存されているため、光ディスク装置間での互換の問題を避けることができる。
【０１２３】
（記録マネジメント情報の不整合の処理）
図３４に本発明の実施形態の一つである光ディスク装置における記録動作において、記録マネジメント情報に不整合がある場合の処理を伴うフローチャートを示す。
【０１２４】
ステップＳ３１において、本発明に係る光ディスク装置は、ホストから記録の指示を受信する。これは、図２４に示したフォーマットの指示や、ユーザデータの記録指示、記録禁止等のディスク管理情報送信の指示等である。次に、ステップＳ３２において、記録マネジメント情報の内容の確認を行う。ここで、例えば実際の光ディスクＤの記録状態と記録マネジメント情報の内容が異なる場合や、記録マネジメント情報のなかで、例えばフィールド４に分割されたＲゾーンの情報が記録されているにもかかわらず、フィールド０のディスク状態情報がブランクになっている等の不整合が発生する場合がある。ステップＳ３３において光ディスク装置は記録マネジメント情報に不整合が無いかを判定する。
【０１２５】
記録マネジメント情報に不整合が無かった場合、光ディスク装置はステップＳ３４にて、ホストからの指示通り、管理領域やデータ領域の必要な部分に記録を行う。ステップＳ３５では、ステップＳ３３で記録した内容や、ホストからの指示に従って、記録マネジメント情報の更新を行う。ステップＳ３６では完了の報告を行う。
【０１２６】
一方、ステップＳ３３において光ディスク装置が記録マネジメント情報に不整合があると判定した場合、処理はステップＳ３７にうつる。ステップＳ３７では記録マネジメント情報複製領域のリセットが実施される。これは、記録マネジメント情報複製領域にリセット用の記録マネジメント情報を記録する処理である。次に、ステップＳ３-８では記録マネジメント領域のリセットを行う。これは、記録マネジメント領域にリセット用の記録マネジメント情報を記録する処理である。さらに、ステップＳ３９ではＲ物理フォーマット情報領域のリセットを行う。これは、Ｒ物理フォーマット情報領域にリセット用の物理フォーマット情報を記録する処理である。ステップＳ３７からステップＳ３９の処理が完了したら、光ディスク装置は改めて、ステップＳ３４に入り、ホストからの指示通り、管理領域やデータ領域の必要な部分に記録を行う。そして、ステップＳ３５、ステップＳ３６と処理を進め、記録動作を完了する。
【０１２７】
図３５に、図３４のフローチャートにおける光ディスクＤの管理情報の記録状態を説明する図を示す。図３５（ａ）はステップＳ３３の時点での管理情報の記録状態を示している。この状態では、記録マネジメント領域の途中まで、記録マネジメント情報が記録されている。そして、一番最外周に記録された最新の記録マネジメント情報が不整合となっている。
【０１２８】
図３５（ｂ）はステップＳ３７から始まりステップＳ３９が完了された時点での管理情報の記録状態を示している。記録マネジメント情報複製領域、記録マネジメント領域、Ｒ物理フォーマット情報領域すべてにわたってリセット用の記録マネジメント情報及び、物理フォーマット情報が記録されている。ここで、リセット用の記録マネジメント情報とは、フィールド０のディスク状態情報がブランクとなっており、更新データエリア構造、パディング状態情報、ターミネータの最終記録物理セクター番号がすべて０ｂで設定されており、その他のフィールドもすべて０ｂが設定された情報である。一方、リセット用の物理フォーマット情報とは、データエリア構造の第１ボーダー終了物理セクター番号、レイヤー０の記録データ最終物理セクター番号に０ｂが設定された情報である。
【０１２９】
図３５（ｃ）はステップＳ３６で記録マネジメント情報が更新された状態を示している。このステップでは、記録マネジメント領域の先頭に、管理領域、データ領域の状態を反映した最新の記録マネジメント情報を記録している。
【０１３０】
このように、本発明に係る光ディスク装置では記録マネジメント情報に不整合がある光ディスクであっても、適切に管理領域をリセットし、ホストの指示に従った記録を実施することが可能となる。
【０１３１】
以上、詳細に述べた本発明の一実施形態によれば、データ領域の分割・縮小・記録処理等がある際は、“記録中”の管理情報を書き、データ領域が何ら処理されない場合は（ガード領域がパディング処理等されても）“未記録”とすることで、複数の光ディスク装置の間で光ディスクを処理しても混乱を招くことがない。これにより、記録領域の処理に応じた適切な管理情報を光ディスクに記録し、動作信頼性を向上させる光ディスク装置及び光ディスク処理方法を提供することができる。
【０１３２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【０１３３】
【図１】本発明の一実施形態に係る情報記録再生システムの構成の一例を示す説明図。
【図２】本発明の一実施形態に係る情報記録再生システムの他の構成の一例を示す説明図。
【図３】本発明の一実施形態に係る光ディスク装置の構成の一例を示すブロック図。
【図４】本発明の一実施形態に係る複数の情報記録再生層を有する２層光ディスクの構成の一例を示す説明図。
【図５】本発明の一実施形態に係る複数の情報記録再生層を有する２層光ディスクの各レイヤーのレイアウトの一例を示す説明図。
【図６】本発明の一実施形態に係る２層光ディスクの記録可能領域の詳細なレイアウトの一例、及び１層光ディスクの記録可能領域の詳細なレイアウトの一例を示す説明図。
【図７】本発明の一実施形態に係る２層光ディスクの記録可能領域の詳細なレイアウトの一例を示す説明図。
【図８】本発明の一実施形態に係る１層光ディスクＤの記録可能領域の詳細なレイアウトの一例を示す。
【図９】本発明の一実施形態に係るデータ領域Ｚ１０，Ｚ１９の構造を説明する説明図。
【図１０】本発明の一実施形態に係る２層光ディスクのレイヤー０に設けられたエンボス領域のフォーマット情報の内容を示す説明図。
【図１１】本発明の一実施形態に係る２層光ディスクのデータエリア構造の詳細な内容を示す説明図。
【図１２】本発明の一実施形態に係る２層光ディスクの記録可能管理領域のフォーマット情報の詳細な内容を示す説明図。
【図１３】本発明の一実施形態に係る２層光ディスクの記録可能管理領域のフォーマット情報におけるデータエリア構造の内容を示す説明図。
【図１４】本発明の一実施形態に係る２層光ディスクの記録可能管理領域のフォーマット情報におけるボーダーゾーンの開始物理セクター番号の詳細な内容を示す説明図。
【図１５】本発明の一実施形態に係る２層光ディスクの記録マネジメント情報複製領域と記録マネジメント領域の構成の一例を示す説明図。
【図１６】本発明の一実施形態に係る２層光ディスクのマネジメント領域の詳細な内容を示す説明図。
【図１７】本発明の一実施形態に係る２層光ディスクの記録マネジメントデータの構成の一例を示す説明図。
【図１８】本発明の一実施形態に係る２層光ディスクの記録マネジメント情報のフィールド０の内容の一例を示す説明図。
【図１９】本発明の一実施形態に係る２層光ディスクの記録マネジメントデータ内のデータエリア構造の詳細の一例を示す説明図。
【図２０】本発明の一実施形態に係る２層光ディスクの更新データエリア構造の内容の一例を示す説明図。
【図２１】本発明の一実施形態に係る２層光ディスクのパディング状態情報の内容の一例を示す説明図。
【図２２】本発明の一実施形態に係る２層光ディスクの記録マネジメント情報のフィールド３の内容の一例を示す説明図。
【図２３】本発明の一実施形態に係る２層光ディスクの記録マネジメント情報のフィールド４５，６，…２１の内容の一例を示す説明図。
【図２４】本発明の一実施形態に係る光ディスク装置（ディスクドライブ装置）が持つコマンドの一例を示す説明図。
【図２５】本発明の一実施形態に係る光ディスク装置（ディスクドライブ装置）にＲゾーンのクローズ、ボーダーのクローズ、ファイナライズ等の指示を行う際のデータのビット構成、及び、バイト位置２の３バイトに割り当てられたクローズ動作の詳細を示す識別子の内容を示す説明図。
【図２６】本発明の一実施形態に係る光ディスク装置（ディスクドライブ装置）に与えるディスク状態確認指示信号のビット構成の一例を示す説明図。
【図２７】本発明の一実施形態に係る光ディスク装置（ディスクドライブ装置）における記録動作等のフローチャート。
【図２８】本発明の一実施形態に係る光ディスク装置（ディスクドライブ装置）における記憶領域の分割数を扱う処理のフローチャート。
【図２９】本発明の一実施形態である光ディスク装置（ディスクドライブ装置）においてレイヤー１の領域に記録を実施する前に記録しておかなくてはならない領域を示す説明図。
【図３０】本発明の一実施形態である光ディスク装置（ディスクドライブ装置）において、光ディスクの各領域のうち記録を行ってもブランク状態と設定をおこなうことが許可される領域を示す説明図。
【図３１】本発明の一実施形態に係る光ディスク装置（ディスクドライブ装置）において、ユーザデータが記録されていなくとも状態情報にユーザデータが記録されてファイナライズされていない状態を設定する場合のディスクの状態を示す説明図。
【図３２】本発明の一実施形態に係る光ディスク装置（ディスクドライブ装置）において、ミドル領域を拡張する場合の一例を説明する説明図。
【図３３】本発明の一実施形態に係る光ディスク装置（ディスクドライブ装置）において、光ディスクのデータ領域が複数のボーダーに分割されて使用される場合の一例を示す説明図。
【図３４】本発明の一実施形態に係る光ディスク装置（ディスクドライブ装置）において、管理情報を必要に応じてリセットする処理の一例を示すフローチャート。
【図３５】本発明の一実施形態に係る光ディスク装置（ディスクドライブ装置）において、光ディスクＤの管理情報の記録状態の遷移の一例を説明する説明図。
【符号の説明】
【０１３４】
Ｄ…光ディスク、１２…光ディスク装置、１４…ホスト、１８…ＰＣ。
【図１】
2008192189.tif 000003
【図２】
2008192189.tif 000004
【図３】
2008192189.tif 000005
【図４】
2008192189.tif 000006
【図５】
2008192189.tif 000007
【図６】
2008192189.tif 000008
【図７】
2008192189.tif 000009
【図８】
2008192189.tif 000010
【図９】
2008192189.tif 000011
【図１０】
2008192189.tif 000012
【図１１】
2008192189.tif 000013
【図１２】
2008192189.tif 000014
【図１３】
2008192189.tif 000015
【図１４】
2008192189.tif 000016
【図１５】
2008192189.tif 000017
【図１６】
2008192189.tif 000018
【図１７】
2008192189.tif 000019
【図１８】
2008192189.tif 000020
【図１９】
2008192189.tif 000021
【図２０】
2008192189.tif 000022
【図２１】
2008192189.tif 000023
【図２２】
2008192189.tif 000024
【図２３】
2008192189.tif 000025
【図２４】
2008192189.tif 000026
【図２５】
2008192189.tif 000027
【図２６】
2008192189.tif 000028
【図２７】
2008192189.tif 000029
【図２８】
2008192189.tif 000030
【図２９】
2008192189.tif 000031
【図３０】
2008192189.tif 000032
【図３１】
2008192189.tif 000033
【図３２】
2008192189.tif 000034
【図３３】
2008192189.tif 000035
【図３４】
2008192189.tif 000036
【図３５】
2008192189.tif 000037